(57)【特許請求の範囲】
【請求項１】
板状導電材により形成され、開口部を有するとともに内部空間にナットが配置されるクリップ端子金具と、導電材で形成され、前記クリップ端子金具の開口部にさし込んで電気的に接続されるさし込み端子金具とを有し、前記クリップ端子金具と前記さし込み端子金具のいずれか一方の端子金具を開閉器に装着し、他方の端子金具を回路導体に接続して構成される開閉器のさし込み接続装置において、板状導電材により形成された前記クリップ端子金具の両側面部に相対して配置されるＵ字形状部を有し、前記クリップ端子金具の開口部近傍に連結される平行面接触部を有し、前記クリップ端子金具と前記さし込み端子金具との接触圧力を増大するとともに、前記クリップ端子金具の内部空間に配置されるナットの脱落を防止する補助ばねを設けたことを特徴とする開閉器のさし込み接続装置。
【請求項２】
前記クリップ端子金具は略Ｕ字状に形成され、前記クリップ端子金具の内部空間に配置されるナットの外周部は前記クリップ端子金具の略Ｕ字状に沿った形状に形成されたことを特徴とする請求項１に記載の開閉器のさし込み接続装置。
【発明の詳細な説明】
【技術分野】
【０００１】
この発明は、例えば配線用遮断器や漏電遮断器などの回路遮断器を含めた開閉器のさし込み接続装置に関し、特に、該開閉器のさし込み接続装置の接触圧力向上とともに組立性向上を図る構造に関するものである。
【背景技術】
【０００２】
従来、配線電路の電源回路と負荷回路の間に配設され、この配置点から負荷機器に至る負荷回路や配電盤内の導体などを保護する回路遮断器の接続配置手段には、特に配電盤内の導体の施設状況に応じて、「表面形」あるいは「裏面形」などが選択使用されているのは周知の通りである。
【０００３】
しかし、これら「表面形」あるいは「裏面形」は、負荷回路の電線あるいは配電盤内の導体を、回路遮断器に直接接続しているため、例えば、回路遮断器の交換を必要とするような事情が発生した場合、多大な手間と労力が掛かることが容易に予想される。
【０００４】
そこで、配電盤内の接続設置用の端子台と回路遮断器とにさし込み接続手段を設けて、回路遮断器をはめ込みするだけで、電源回路と負荷回路との電気的接続が得られる「さし込み形回路遮断器」が広く知られている。
【０００５】
即ち、一例として、予め端子台を配電盤のパネルなどに配設するとともに、この端子台に具備されたさし込み端子金具に電源側および負荷側となる導体を接続しておく。一方、回路遮断器には、さし込み端子金具と相対するようにクリップ端子金具を回路遮断器の電源側および負荷側端子に固着させておく。そして、回路遮断器の設置にあたっては、さし込み端子金具に回路遮断器の回路遮断器のクリップ端子金具を嵌挿させることで、このクリップ端子金具による圧接力が電気的接続となり、回路遮断器が配電線路の電源回路と負荷回路の間に接続設置される。
【０００６】
このようにして、回路遮断器の開閉により負荷回路の開閉がなされるが、一般にこの種の回路遮断器はさし込み形回路遮断器、あるいは、さし込み回路遮断器と呼ばれている。このさし込形回路遮断器、あるいは、さし込み回路遮断器と呼ばれるものは、さし込み端子金具に対するクリップ端子金具の圧接力が弱い場合には接触不良になるおそれがある。
【０００７】
この問題を解決するために、特殊な部品を付加して、挿入した状態で、正常な電気的接触が保たれているかどうかの識別ができるようにしたもの（特許文献1参照）や、圧接力
を確保しつつさし込み時の挿入力の軽減を図った接続装置が考えられている（特許文献２参照）。
【０００８】
一般に、回路遮断器は、その回路遮断器が通電し得る最大値をＡＦ（アンペアフレーム）とし、このＡＦのなかで、各定格電流が決められていることは周知の通りである。（例えば、６３ＡＦの場合、定格電流は３Ａ〜６３Ａ）。
【０００９】
上述したさし込み回路遮断器を採用するメリットの一つとして、このＡＦ（アンペアフレーム）に関係がある。即ち、ＡＦが決定しても、その定格電流や、定格遮断容量が不定のままでも、とりあえずさし込み端子台だけを配設すれば、配線施工が行えることが挙げられる。また、負荷容量増大などに伴う定格電流の変更があっても、そのＡＦの範囲内であれば、交換作業も至って容易である。
【００１０】
しかしながら、最大のメリットは、その交換の容易さに着目し、万が一、回路遮断器が不具合、あるいは短絡遮断を遂げたのちの、予備品との交換、そして、給電の迅速なる再開、が可能という点である。従って、重要回路の主幹用、あるいは船舶用にと、その需要は比較的多い。
【先行技術文献】
【特許文献】
【００１１】
【特許文献１】特開２００４−３６３０６６号公報
【特許文献２】特開２００９−１２３６０４号公報
【発明の概要】
【発明が解決しようとする課題】
【００１２】
上述した従来の開閉器のさし込み接続装置は、使い勝手が良い半面、その電気的接触を、螺着や固着ではなく、圧接に頼ることから、上述した特許文献２でも開示されているように、その圧接力の確保、ひいては接触不良を起こさせないことが求められている。これは、特に、接触点における電流集中による電磁反発力で接触部の「浮き上がり発弧」することを回避するにほかならない。すなわち、接触部の圧力を高めることが、さし込み接続装置の通電能力向上に繋がるわけであるが、遮断器外形の小形化および高遮断容量化への要求が高まっている中で、クリップ端子金具単品で接触部の圧力を増幅させることが困難であるという問題点があった。
【００１３】
また、遮断器端子部へのクリップ端子金具の装着は装着ネジおよびナットを用いて固着するが、取り付け時にナットの位置が不確定でありナットが脱落しやすいため、作業性および組立性が悪いという問題点があった。
【００１４】
この発明は、上記のような課題を解決するためになされたものであり、その目的は、クリップ端子金具の接触圧力を増大し、さし込み形遮断器組立時における遮断器端子部へのクリップ端子金具の組立性向上を図ることができる開閉器のさし込み接続装置を提供するものである。
【課題を解決するための手段】
【００１５】
この発明に係わる開閉器のさし込み接続装置は、板状導電材により形成され、開口部を有するとともに内部空間にナットが配置されるクリップ端子金具と、導電材で形成され、前記クリップ端子金具の開口部にさし込んで電気的に接続されるさし込み端子金具とを有し、前記クリップ端子金具と前記さし込み端子金具のいずれか一方の端子金具を開閉器に装着し、他方の端子金具を回路導体に接続して構成される開閉器のさし込み接続装置において、板状導電材により形成された前記クリップ端子金具の両側面部に相対して配置されるＵ字形状部を有し、前記クリップ端子金具の開口部近傍に連結される平行面接触部を有し、前記クリップ端子金具と前記さし込み端子金具との接触圧力を増大するとともに、前記クリップ端子金具の内部空間に配置されるナットの脱落を防止する補助ばねを設けたものである。
【発明の効果】
【００１６】
この発明に係わる開閉器のさし込み接続装置によれば、クリップ端子金具部に装着した補助ばねにより、クリップ端子金具への接触圧力を増大するとともに、クリップ端子金具部内におけるナットの位置を固定させ、さし込み形遮断器の組立時における遮断器端子部へのクリップ端子金具の組立性向上を図ることができる開閉器のさし込み接続装置を得ることができる。
【図面の簡単な説明】
【００１７】
【図１】この発明の実施の形態１に係わる開閉器のさし込み接続装置を開閉器に適用した状態を示す側面図である。
【図２】この発明の実施の形態１に係わる開閉器のさし込み接続装置の接続部を示す平面図である。
【図３】この発明の実施の形態１に係わる開閉器のさし込み接続装置におけるクリップ端子金具部を示す平面図である。
【図４】この発明の実施の形態1に係わる開閉器のさし込み接続装置におけるクリップ端子金具部を示す側面図である。
【図５】この発明の実施の形態２に係わる開閉器のさし込み接続装置におけるクリップ端子金具部を示す平面図である。
【図６】この発明の実施の形態２に係わる開閉器のさし込み接続装置におけるクリップ端子金具部を示す側面図である。
【発明を実施するための形態】
【００１８】
実施の形態１．
以下、この発明の実施の形態１を図１に基づいて説明するが、各図において、同一、または相当部材、部位については同一符号を付して説明する。図１はこの発明の実施の形態１に係わる開閉器のさし込み接続装置開閉器に適用した状態を示す側面図である。図２はこの発明の実施の形態１に係わる開閉器のさし込み接続装置の接続部を示す平面図である。
図３はこの発明の実施の形態１に係わる開閉器のさし込み接続装置におけるクリップ端子金具部を示す平面図である。図４はこの発明の実施の形態1に係わる開閉器のさし込み接
続装置におけるクリップ端子金具部を示す側面図である。
【００１９】
図１に示すように、開閉器１３のさし込み接続装置１１は、少なくともクリップ端子金具１９とさし込み端子金具１とを有し、さし込み接続装置１１の構成の都合によっては端子台３を用いて構成される。従って、この発明の実施の形態１では端子台３を用いた構成のもので説明する。
【００２０】
このような構成において、３は合成樹脂などの絶縁材料で形成された端子台であり、あらかじめさし込み端子金具１を装着しておき、配電盤内のアングル１５に取り付けねじ１６を用いて固着される。このとき、さし込み端子金具１は、さし込み端子金具１の一端に形成されたボルト部１ｂにより、配電盤内に配設された電源側および負荷側となる外部導体１２に螺着される。
【００２１】
なお、２ａはさし込み端子金具１の鍔部１ｃを介して端子台３にさし込み端子金具１を装着するためのナット、２ｂは外部導体１２にさし込み端子金具１を装着するためのナットである。
【００２２】
さし込み端子金具１の他端は平行面接触部１ａが形成されている。このさし込み端子金具１の平行面接触部１ａに、背面に板状導電材により形成されたクリップ端子金具１９が装着された開閉器１３をさし込んで開閉器１３が取り付けられる。
【００２３】
クリップ端子金具１９の装着は、装着ねじ２１およびナット２２を用いて開閉器１３の内部導体２０に固着するようになされている。また、開閉器１３の取り付けは、クリップ端子金具１９の部分を平行面接触部１ａにさし込んだ後、取り付け孔１７から取り付けねじ１８を挿入して端子台３に固定するようになされている。
【００２４】
なお、図示しているのは、いわゆる単相分であるが、３相の場合は同形状のさし込み端子金具１が図の紙面上、奥行方向に所定の極間寸法を保ち３組並置され、端子台３に固定されている。
【００２５】
続いて、クリップ端子金具部の詳細について説明する。クリップ端子金具１９は略Ｕ字形状で、さし込み端子金具１の平行面接触部１ａの挿入により開口部１９ａが変位し接触圧力を生じさせるものである。また、クリップ端子金具１９の両側面部１９ｃに相対してＵ字形状部２３ｂを配置させることにより、クリップ端子金具１９の内部空間に配置されるナット２２の脱落を防止する補助ばね２３を設けている。そして、補助ばね２３は略Ｕ字形状であり、平行面接触部２３ａを介してクリップ端子金具１９に連結し、相対向するＵ字形状ばねとして、開口部１９ａの変位に対し接触圧力を生じさせる。
【００２６】
ナット２２はクリップ端子金具１９のくちばし形状の内部、および補助ばね２３の平行面接触部２３ａの間に位置し、クリップ端子金具１９のＵ字形状内側および補助ばね２３のＵ字形状部２３ｂの位置に固定されている。
【００２７】
なお、回路遮断器外形の小形化に伴い、クリップ端子金具１９の全体長も短くする必要があり、開口部１９ａ変位を確保するには、クリップ端子金具１９の板厚を大きくすることが困難なため、クリップ端子金具１９へのバーリングは実施できず、ナット２２での固定としている。
【００２８】
次に、開閉器１３の内部導体２０にクリップ端子部が取付けされる過程を説明する。装着ねじ２１は内部導体２０およびクリップ端子金具１９の取り付け孔２０ａ，１９ｂを通り、ナット２２でねじ止めする。ここで、ねじ止め可能な条件として、ナット２２の孔位置が装着方向軸上の同軸位置にあることとナット２２のまわり止めが必要であることが挙げられ、従来は専用の治具を用い各部品をセットし、位置合わせが必要なため作業性が悪かった。
【００２９】
この実施の形態１では、ナット２２がクリップ端子金具１９の内部、および補助ばね２３の平行面接触部２３ａの間に位置し、かつ、クリップ端子金具１９の両側面部１９ｃに相対して配置した補助ばね２３のＵ字形状部２３ｂの位置に配置され、ナット２２の位置固定がなされており、ナットの回り止めの効果も果たしている。また、ナット２２の脱落を防止することができる効果も有している。
【００３０】
以上のように、この実施の形態１によれば、クリップ端子金具１９に装着され、クリップ端子金具１９とさし込み端子金具１との接触圧力を増大するとともに、クリップ端子金具１９の内部空間に配置されるナット２２の脱落を防止する補助ばね２３を設けたことにより、クリップ端子金具１９への接触圧力を増大するとともに、クリップ端子金具１９部内におけるナット２２の位置を固定させ、さし込み形遮断器の組立時における遮断器端子部へのクリップ端子金具１９の組立性向上を図ることができる開閉器のさし込み接続装置を得ることができる。
【００３１】
実施の形態２．
この発明の実施の形態２を図５および図６に基づいて説明するが、各図において、同一、または相当部材、部位については同一符号を付して説明する。図５はこの発明の実施の形態２に係わる開閉器のさし込み接続装置におけるクリップ端子金具部を示す平面図である。
図６はこの発明の実施の形態２に係わる開閉器のさし込み接続装置におけるクリップ端子金具部を示す側面図である。
【００３２】
上述した実施の形態１では、ナット２２として通常の６角ナットを用いた場合について述べたが、図５および図６に示すように、ナット２４はクリップ端子金具１９の略Ｕ字状に形成されたＵ字斜面１９ｄに沿った外形部２４ａとし、その中心部に端部から軸方向に接続用のねじ孔２４ｂを設けたものを用いれば、回り止め固定位置がさらに安定化すると
ともに、ねじサイズやクリップ端子金具１９、補助ばね２３の大きさを問わずナット２４の孔位置が固定でき、上述した実施の形態１と同様の効果を得ることができる。
【産業上の利用可能性】
【００３３】
この発明は、クリップ端子金具の接触圧力を増大し、さし込み形遮断器組立時における遮断器端子部へのクリップ端子金具の組立性向上を図ることができる開閉器のさし込み接続装置の実現に好適である。
【符号の説明】
【００３４】
１  さし込み端子金具
３  端子台
１１  さし込み端子接続装置
１２  外部導体
１３  開閉器
１９  クリップ端子金具
１９ａ  開口部
１９ｃ  側面部
１９ｄ  Ｕ字斜面
２０  内部導体
２２  ナット
２３  補助ばね
２３ａ  平行面接触部
２３ｂ  Ｕ字形状部
２４  ナット
２４ａ  外形部
【図１】
0005618919.tif 000002
【図２】
0005618919.tif 000003
【図３】
0005618919.tif 000004
【図４】
0005618919.tif 000005
【図５】
0005618919.tif 000006
【図６】
0005618919.tif 000007